(57)【要約】【課題】複数の撮像光学系を有するデジタルカメラにおいて、駆動モータ数を削減するとともに駆動方法の任意変更を可能とする。【解決手段】デジタルカメラは第１撮像光学系と第２撮像光学系を備える。第１撮像光学系はズームレンズ群１０２とフォーカスレンズ１０８を有し、第２撮像光学系はズームレンズ２０２とフォーカスレンズ２０６を有する。ズームレンズ群１０２、２０２はズーミング用駆動モータ３００で共通に駆動される。切替機構３５０によりズームレンズ群１０２、２０２の移動方向を切替可能とし、第１移動モードではズームレンズ群１０２、２０２は同一方向に移動し、第２移動モードではズームレンズ群１０２、２０２は逆方向に移動する。【選択図】図１
2008032918.tif 000002
【特許請求の範囲】
【請求項１】
第１撮像光学系と、
前記第１撮像光学系と画角の異なる第２撮像光学系と、
を備える複数光学系を有する撮像装置であって、
前記第１撮像光学系は変倍用の第１レンズを有し、
前記第２撮像光学系は変倍用の第２レンズを有し、
前記第１レンズ及び前記第２レンズは共通の変倍用駆動モータでともに駆動され、前記変倍用駆動モータと前記第１レンズ並びに前記第２レンズとの間に、前記第１レンズが広角側から狭角側に移動するときに前記第２レンズが広角側から狭角側に移動する第１移動モードと、前記第１レンズが広角側から狭角側に移動するときに前記第２レンズが狭角側から広角側に移動する第２移動モードとを選択的に切り替える切替機構を有することを特徴とする複数光学系を有する撮像装置。
【請求項２】
請求項１記載の装置において、
前記切替機構は、
前記変倍用駆動モータに連結される太陽ギアと、
前記太陽ギアに噛合する第１及び第２遊星ギアと、
前記第１遊星ギアに選択的に噛合するアイドルギアと、
前記第２遊星ギアに選択的に噛合するとともに前記アイドルギアに噛合する駆動ギアと、
を有し、前記太陽ギアの回転により前記第１レンズが駆動され、前記駆動ギアの回転により前記第２レンズが駆動され、前記第１遊星ギアが前記アイドルギアに噛合する場合に前記駆動ギアは前記アイドルギアを介して前記太陽ギアとともに回転し、前記第２遊星ギアが前記駆動ギアに噛合する場合に前記アイドルギアを介することなく前記太陽ギアとともに回転することを特徴とする複数光学系を有する撮像装置。
【請求項３】
請求項１記載の装置において、
前記切替機構は、前記第１移動モードと前記第２移動モードとを選択的に切り替えるとともに、前記第１レンズあるいは前記第２レンズのいずれかを他方に対して独立に移動する第３移動モードとを選択的に切り替えることを特徴とする複数光学系を有する撮像装置。
【請求項４】
請求項１〜３のいずれかに記載の装置において、
前記第１撮像光学系と前記第２撮像光学系のうちの動作中撮像光学系を示し、かつ、前記第１移動モードと前記第２移動モードのいずれで移動するかを示す表示部を有することを特徴とする複数光学系を有する撮像装置。
【発明の詳細な説明】
【技術分野】
【０００１】
本発明は複数光学系を有する撮像装置に関し、特にズーミングあるいはフォーカシングの駆動機構に関する。
【背景技術】
【０００２】
デジタルカメラ等の撮像装置において、レンズのズーミングとフォーカシングを別々の駆動機構及び別々の駆動モータで実行しており、特にコンパクトなデジタルカメラにおいて小型化及び低コスト化の妨げとなっている。
【０００３】
下記の特許文献には、前群レンズと後群レンズを駆動リングの回転で互いに独立して動かせるように構成することで、単一の駆動モータでズーミングとフォーカシングを行うことのできる構成が開示されている。また、特許文献２には、単一の駆動モータでズーム動作とＡＦ動作とを行うことが開示されており、太陽ギア、遊星ギア、リングギアを備え、リングギアが回転すると駆動モータの回転力はフォーカス移動手段に伝達され、リングギアの回転が阻止されるとズーム移動手段に伝達されることが開示されている。
【０００４】
【特許文献１】特開平５−２４９３６２号公報
【特許文献２】特開２０００−４７０８９号公報
【発明の開示】
【発明が解決しようとする課題】
【０００５】
単一の撮像光学系ではなく複数の撮像光学系を有するデジタルカメラが想定され、それぞれの焦点距離を異にすることでレンズを交換することなく広範な撮影範囲をカバーすることが可能であるが、その内部構成は単一の撮像光学系に比して複雑化する問題がある。例えば、第１撮像光学系と第２撮像光学系を備えたデジタルカメラを想定すると、第１撮像光学系のズームレンズを駆動するモータ、フォーカスレンズを駆動するモータ、第２撮像光学系のズームレンズを駆動するモータ、フォーカスレンズを駆動するモータの合計４個の駆動モータが必要となり、デジタルカメラのサイズ増大とコストアップを招く。上記従来技術に開示されているように、第１撮像光学系のズームレンズとフォーカスレンズとを単一の駆動モータで駆動し、第２撮像光学系のズームレンズとフォーカスレンズとを別の単一の駆動モータで駆動することも考えられるが、第１撮像光学系と第２撮像光学系は連動して駆動することが望ましく、第１撮像光学系のズームレンズと第２撮像光学系のズームレンズを単一の駆動モータで駆動し、あるいは第１撮像光学系のフォーカスレンズと第２撮像光学系のフォーカスレンズを単一の駆動モータで駆動できることが望ましい。
【０００６】
さらに、第１撮像光学系と第２撮像光学系のズームレンズが連動して移動する場合においても、ユーザによっては連動の方法を変更したいと欲する場合がある。
【０００７】
本発明の目的は、複数光学系を有する撮像装置において、それぞれの撮像光学系が有するズームレンズの駆動モータを共有するとともに、ズームレンズの連動方法を任意に変更する構成を簡易化するとともに使い勝手を向上させることにある。
【課題を解決するための手段】
【０００８】
本発明は、第１撮像光学系と、前記第１撮像光学系と画角の異なる第２撮像光学系とを備える複数光学系を有する撮像装置であって、前記第１撮像光学系は変倍用の第１レンズを有し、前記第２撮像光学系は変倍用の第２レンズを有し、前記第１レンズ及び前記第２レンズは共通の変倍用駆動モータでともに駆動され、前記変倍用駆動モータと前記第１レンズ並びに前記第２レンズとの間に、前記第１レンズが広角側から狭角側に移動するときに前記第２レンズが広角側から狭角側に移動する第１移動モードと、前記第１レンズが広角側から狭角側に移動するときに前記第２レンズが狭角側から広角側に移動する第２移動モードとを選択的に切り替える切替機構を有することを特徴とする。
【０００９】
本発明の１つの実施形態では、前記切替機構は、前記変倍用駆動モータに連結される太陽ギアと、前記太陽ギアに噛合する第１及び第２遊星ギアと、前記第１遊星ギアに選択的に噛合するアイドルギアと、前記第２遊星ギアに選択的に噛合するとともに前記アイドルギアに噛合する駆動ギアとを有し、前記太陽ギアの回転により前記第１レンズが駆動され、前記駆動ギアの回転により前記第２レンズが駆動され、前記第１遊星ギアが前記アイドルギアに噛合する場合に前記駆動ギアは前記アイドルギアを介して前記太陽ギアとともに回転し、前記第２遊星ギアが前記駆動ギアに噛合する場合に前記アイドルギアを介することなく前記太陽ギアとともに回転する。
【発明の効果】
【００１０】
本発明によれば、駆動モータ数を削減できるとともに、第１撮像光学系と第２撮像光学系の変倍用のレンズ（ズームレンズ）の連動方法を任意に切り替えることができる。
【発明を実施するための最良の形態】
【００１１】
以下、図面に基づき本発明の実施形態について説明する。本実施形態におけるデジタルカメラは、画角が相対的に広い第１撮像光学系（ワイド側光学系）と画角が相対的に狭い第２撮像光学系（テレ側光学系）の２つの撮像光学系を備える。
【００１２】
図１に、本実施形態のデジタルカメラの内部構成を示す。第１撮像光学系は３５ｍｍフィルム換算で３９ｍｍ−１１７ｍｍの焦点距離範囲のズームレンズを有する。ユーザはズームボタンを操作してズーム位置を設定する。所望のズーム位置に達すると、シャッタボタンを操作して撮影する。被写体の明るさに応じて適宜ストロボが発光制御され、撮影された画像はＬＣＤに表示される。ズームレンズはいわゆる屈曲光学系となっており、第１レンズ群１００から入射した被写体光はプリズム１０１で直角に曲げられ、ズームレンズ群１０２、１０４及びフォーカスレンズ群１０８を介して第１撮像素子１１０に被写体の像を結像する。ズームレンズ群１０２、１０４とフォーカスレンズ群１０８はそれぞれロッド１１２によりガイドされ、光軸方向に移動可能に構成される。これらのレンズ群の移動によりレンズ全体の合成焦点距離を変更する。第１撮像光学系は２つのズームレンズ群１０２、１０４を有するが、ズームレンズ群１０２はシャッタ・絞りアセンブリ６００の前側（被写体側）に配置され、ズームレンズ群１０４はシャッタ・絞りアセンブリ６００の後側（イメージセンサ側）に配置される。ズームレンズ群１０４はズームレンズ群１０２と異なる駆動モータ５００で駆動される。
【００１３】
第２撮像光学系は３５ｍｍフィルム換算で１３０ｍｍ−３９０ｍｍの焦点距離範囲のズームレンズを有する。このズームレンズも屈曲光学系であり、第１レンズ群２００から入射した被写体光はプリズム２０１で直角に曲げられ、ズームレンズ群２０２及びフォーカスレンズ群２０６を介して第２撮像素子２１０に被写体の像を結像する。
【００１４】
ズームレンズ２０２及びフォーカスレンズ２０６はそれぞれロッド２１２によりガイドされ、光軸方向に移動可能に構成される。これらのレンズ群の移動によりレンズ全体の合成焦点距離を変更する。
【００１５】
本実施形態では、これらのレンズ群の駆動モータとして、ズーミング用駆動モータ３００、５００とフォーカシング用駆動モータ４００が設けられる。第１撮像光学系と第２撮像光学系で共有される駆動モータは駆動モータ３００、４００であり、以下、これらの駆動モータ３００、４００による駆動機構について説明する。
【００１６】
フォーカシングモータ４００にはギアが連結され、このギアに他の２つのギアが噛合する。一方のギアは中空円筒形状のレンズ案内環１０６の外周に形成された外周ギア１０６ａに噛合し、レンズ案内環１０６を回転駆動する。レンズ案内環１０６の内周にはねじが形成されており、このねじにフォーカスレンズ群１０８が噛合保持される。レンズ案内環１０６が回転すると、内周ねじに噛合するフォーカスレンズ群１０８はロッド１１２にガイドされて光軸方向に移動する。また、他方のギアは送りねじ２３０に連結され、送りねじ２３０にはナットが螺合し、フォーカスレンズ群２０６はこのナットに接続される。送りねじ２３０が回転するとフォーカスレンズ群２０６はロッド２１２にガイドされて光軸方向に移動する。したがって、単一のフォーカシングモータ４００の回転により第１撮像系のフォーカスレンズ群１０８及び第２撮像光学系のフォーカスレンズ群２０６がともに光軸方向に移動する。フォーカシング用駆動モータ４００は、図示しないデジタルカメラの制御回路からの指令により正逆の方向に回転し、オートフォーカス動作を行い、両方の撮像光学系の焦点の合っている被写体距離が同一となるように設定される。すなわち、第１撮像光学系が無限遠に焦点が合っている状態のときは第２撮像光学系も無限遠に焦点が合っており、第１撮像光学系が２ｍの被写体距離に焦点が合っている状態のときには第２撮像光学系も２ｍの被写体距離に焦点が合うように設定される。
【００１７】
第２撮像光学系は相対的に画角の狭いテレ側の光学系であり、フォーカスレンズ群２０６の移動量は相対的に大きい。このため、本実施形態ではフォーカスレンズ群２０６を送りねじ２３０により直接的に駆動する。その一方、第１撮像光学系は相対的に画角の広いワイド側の光学系であり、フォーカスレンズ群１０８の移動量は相対的に少なく分解能を高くする必要がある。このため、フォーカスレンズ群１０８は送りねじではなく、ギアとレンズ案内環１０６の外周ギア１０６ａとの組み合わせで所望の減速比を達成している。すなわち、歯数の小さいギアと歯数の大きいレンズ案内環１０６の外周ギア１０６ａとの組み合わせでフォーカスレンズ群１０８の分解能を向上させている。なお、フォーカスレンズ群１０８はレンズ案内環１０６の内周ねじに噛合するため、内周ねじのピッチを調整することによっても分解能を調整することができる。ギアと外周ギア１０６ａの減速比によりフォーカスレンズ群１０８の分解能を粗調整しレンズ案内環１０６の内周ねじピッチによりフォーカスレンズ群１０８の分解能を微調整することもできる。
【００１８】
一方、ズーミング用駆動モータ３００には切替機構３５０が連結される。切替機構３５０は、第１撮像光学系のズームレンズ群１０２のナットが螺合する送りねじ１２０と、第２撮像光学系のズームレンズ群２０２のナットが螺合する送りねじ２２０をズーミング用駆動モータ３００に接続して駆動するとともに、送りねじ１２０と送りねじ２２０の回転方向を選択的に切り替える。送りねじ１２０と送りねじ２２０の回転方向を切り替えることで、ズームレンズ群１０２の光軸に沿った移動方向とズームレンズ群２０２の光軸に沿った移動方向が切り替わる。すなわち、送りねじ１２０と送りねじ２２０の回転方向が同一である場合、ズームレンズ群１０２とズームレンズ群２０２はともに光軸に沿った同一方向に移動し、送りねじ１２０と送りねじ２２０の回転方向が互いに逆回転である場合、ズームレンズ群１０２とズームレンズ群２０２は光軸に沿って互いに逆方向に移動する。具体的には、送りねじ１２０と送りねじ２２０が同一方向に回転する場合、ズームレンズ群１０２が広角端（ワイド端）から狭角端（テレ端）に向けて移動するとズームレンズ群２０２も同様にワイド端からテレ端に向けて移動し、ズームレンズ群１０２がテレ端からワイド端に向けて移動するとズームレンズ群２０２も同様にテレ端からワイド端に向けて移動する。送りねじ１２０と送りねじ２２０が互いに逆方向に回転する場合、ズームレンズ群１０２がワイド端からテレ端に向けて移動するとズームレンズ群２０２はテレ端からワイド端に向けて移動し、ズームレンズ群１０２がテレ端からワイド端に向けて移動するとズームレンズ群２０２はワイド端からテレ端に向けて移動する。切替機構３５０の切替はユーザが手動で行う。
【００１９】
図２に、切替機構３５０の構成を示す。図１における内部構造をプリズム１０１、２０１側から見た構成図である。切替機構３５０は、切替レバー３５２、太陽ギアＧ１、遊星ギアＧ２及びＧ３、アイドルギアＧ４及び送りねじ１２０駆動用ギアＧ５を有する。太陽ギアＧ１と２つの遊星ギアＧ２、Ｇ３は互いに噛合し、これらのギアＧ１〜Ｇ３はいずれも切替レバー３５２に固定される。太陽ギアＧ１はズーミング用駆動モータ３００に直結され、送りねじ２２０は太陽ギアＧ１により駆動される。すなわち、太陽ギアＧ１は遊星ギアＧ２、Ｇ３を駆動するとともに送りねじ２２０駆動用ギアとして機能する。アイドルギアＧ４及び送りねじ１２０駆動用ギアＧ５はそれぞれ噛合し、アイドルギアＧ４は遊星ギアＧ２と噛合可能に遊星ギアＧ２近傍に配置され、送りねじ１２０駆動用ギアＧ５は遊星ギアＧ３と噛合可能に遊星ギアＧ３近傍に配置される。切替レバー３５２は図中矢印３５４方向に揺動自在に軸支され、切替レバー３５２がＡ位置とＢ位置の中間位置（中立位置）にある場合には図に示すように遊星ギアＧ２はアイドルギアＧ４に噛合せず遊星ギアＧ３は送りねじ１２０駆動用ギアＧ５に噛合しない。この場合、太陽ギアＧ１により送りねじ２２０は駆動され、送りねじ１２０は駆動されないので、ズームレンズ群２０２のみが光軸方向に移動する。
【００２０】
図３及び図４に、切替レバー３５２をＡ位置に切り替えた場合の構成を示す。図４に示すように、遊星ギアＧ２はアイドルギアＧ４と噛合し、太陽ギアＧ１の回転により遊星ギアＧ２を介してアイドルギアＧ４も回転する。アイドルギアＧ４は送りねじ１２０駆動用ギアＧ５と噛合するから、送りねじ１２０駆動用ギアＧ５も回転する。太陽ギアＧ１の回転方向と送りねじ１２０駆動用ギアＧ５の回転方向は互いに逆である。したがって、太陽ギアＧ１により駆動される送りねじ２２０の回転方向と送りねじ１２０駆動用ギアＧ５により駆動される送りねじ１２０は互いに逆方向に回転することとなり、ズームレンズ群１０２がワイド端からテレ端に向けて移動する場合にはズームレンズ群２０２はテレ端からワイド端に向けて移動することになる。図３に、ズームレンズ群１０２がテレ端に位置するとともに、ズームレンズ群２０２がワイド端に位置する場合を示す。
【００２１】
図５及び図６に、切替レバー３５２をＢ位置に切り替えた場合の構成を示す。図６に示すように、遊星ギアＧ３は送りねじ１２０駆動用ギアＧ５と噛合し、太陽ギアＧ１の回転により遊星ギアＧ３を介して送りねじ１２０駆動用ギアＧ５も回転する。太陽ギアＧ１の回転方向と送りねじ１２０駆動用ギアＧ５の回転方向は同一である。したがって、太陽ギアＧ１により駆動される送りねじ２２０の回転方向と送りねじ１２０駆動用ギアＧ５により駆動される送りねじ１２０は同一方向に回転することとなり、ズームレンズ群１０２がワイド端からテレ端に向けて移動する場合にはズームレンズ群２０２もワイド端からテレ端に向けて移動することになる。図５に、ズームレンズ群１０２がテレ端に位置するとともに、ズームレンズ群２０２もテレ端に位置する場合を示す。
【００２２】
このように、切替機構３５０の切替レバー３５２をＡ位置とＢ位置のいずれかに切り替えることで、第１撮像光学系のズームレンズ群１０２と第２撮像光学系のズームレンズ群２０２の連動方法を容易に切り替えることができる。ユーザは、被写体や撮影状況に応じ、いずれかの連動方法に切り替えてズーミングを行い撮影できる。例えば、第１撮像光学系から第２撮像光学系へ切り替える場合、ズームレンズ群１０２がテレ端に達した時点でズームレンズ群２０２はワイド端に位置する方が好ましく、この場合には切替レバー３５２をＡ位置に設定してズームレンズ群１０２とズームレンズ群２０２の移動方向を互いに逆方向とするのがよい。一方、第１撮像光学系と第２撮像光学系をともに動作状態として２光学系で同時撮影する場合等には、ズーミングの方向は同一である方が好ましく、この場合には切替レバー３５２をＢ位置に設定してズームレンズ群１０２とズームレンズ群２０２の移動方向を同一方向とするのがよい。
【００２３】
以下、本実施形態におけるユーザ操作についてより詳細に説明する。デジタルカメラの電源をＯＮにすると、制御回路によりデジタルカメラを初期状態に設定する。この初期状態では第１撮像光学系が動作状態となり、第１撮像光学系のズーム位置はワイド端（同３９ｍｍ）に設定され、第２撮像光学系のズーム位置はテレ端（同３９０ｍｍ）に設定される。
【００２４】
ユーザが切替機構３５０の切替レバー３５２をＡ位置に設定し、初期状態からズームボタンのテレ側を操作すると、ズーミング用駆動モータ３００が回転し、第１撮像光学系の焦点距離を増大させる方向に移動させる（ズームアップ）とともに、第２撮像光学系の焦点距離を減少させる方向に移動させる（ズームダウン）。
【００２５】
初期設定では第１撮像光学系が動作しているので、ＬＣＤに表示される画像は第１撮像光学系で得られた画像で、これがワイド端（３９ｍｍ）からズームアップされた画像に変化していく。ズームボタンのテレ側を操作し続けると、第１撮像光学系のテレ端（１１７ｍｍ）に到達するが、さらに操作し続けると第１撮像光学系の画像に電子ズームを施した画像が表示される。そして、第２撮像光学系のワイド端（１３０ｍｍ）に設定が到達したところで撮像光学系が自動的に切り替わり、第２撮像光学系が動作状態となってその画像がＬＣＤに表示される。このとき、上記のように第１撮像光学系と第２撮像光学系では互いに焦点距離の変化する方向が逆になるようにズーミングするので、第１撮像光学系がテレ端に到達した時点では第２撮像光学系はワイド端に到達しており、切替時に改めて第２撮像光学系のズームレンズ群２０２を動かすことなくスムーズに切り替えることができる。さらにズームボタンをテレ側に操作し続けると、今後はズーミング用駆動モータ３００が逆転し、第２撮像光学系の焦点距離を増大させる方向に動かす（ズームアップ）。
【００２６】
ズームボタンをワイド側に操作すると、上記のズームアップ時と逆の動作になる。すなわち、ズーミング用駆動モータ３００が回転し、第１撮像光学系の焦点距離を増大させる方向に移動させる（ズームアップ）とともに、第２撮像光学系の焦点距離を減少させる方向に移動させる（ズームダウン）。ズームボタンのワイド側を操作し続けると、第２撮像光学系のワイド端に到達するが、さらに操作し続けると撮像光学系が自動的に切り替わり、第１撮像光学系が動作状態となってその画像がＬＣＤに表示される。第１撮像光学系と第２撮像光学系では互いに焦点距離の変化する方向が逆になるようにズーミングするので、第２撮像光学系がワイド端に到達した時点では第１撮像光学系はテレ端に到達しており、切替時に改めて第１撮像光学系のズームレンズ群１０２を動かすことなくスムーズに切り替えることができる。
【００２７】
ユーザは第１撮像光学系がテレ端に到達し、第２撮像光学系がワイド端に到達したときに切替機構３５０の切替レバー３５２をＡ位置から中立位置、さらにはＢ位置に切り替えることができる。切替レバー３５２を中立位置に設定すると、第２撮像光学系のズームレンズ群２０２のみが移動する。第１撮像光学系がテレ端に到達した時点で第２撮像光学系はワイド端に位置するが、切替レバー３５２を中立位置に設定すると、第１撮像光学系はテレ端位置を維持しつつ、第２撮像光学系のみがワイド端からテレ端に向けて移動し、テレ端に到達する。これにより、第１撮像光学系及び第２撮像光学系ともにテレ端に到達する。この状態で切替レバー３５２をＢ位置に設定し、ズームボタンをワイド側に操作すると、ズーミング用駆動モータ３００が回転し、第１撮像光学系がテレ端からワイド端に向けて移動するとともに、第２撮像光学系もテレ端からワイド端に向けて移動する。第１撮像光学系及び第２撮像光学系がともにワイド端に到達した後、ユーザが切替レバー３５２を操作することなく（つまりＢ位置に設定したまま）ズームボタンをテレ側に操作すると、第１撮像光学系及び第２撮像光学系はともにワイド端からテレ端に向けて移動し、やがてテレ端に到達する。第１撮像光学系及び第２撮像光学系がともにワイド端に到達した時点でユーザが切替レバー３５２をＢ位置から中立位置に設定すると、第２撮像光学系のみがワイド端からテレ端に向けて移動し、テレ端に到達する。これにより、第１撮像光学系はワイド端、第２撮像光学系はテレ端に位置することになり、その後にユーザが切替レバー３５２をＡ位置に設定してズームボタンをテレ側に操作すると第１撮像光学系はワイド端からテレ端に向けて移動し、第２撮像光学系はテレ端からワイド端に向けて移動する。
【００２８】
図７及び図８に、デジタルカメラの背面図を示す。デジタルカメラの背面にはＬＣＤが設けられ、動作中の撮像光学系で得られた画面が表示される。ズームボタン１０はワイド側（Ｗ）及びテレ側（Ｔ）の操作ボタンを有し、ズームアップする場合にはテレ側を操作し、ズームダウンする場合にはワイド側を操作する。ズームボタン１０は、また動作中の撮像光学系を切り替える動作切替スイッチを兼用する。すなわち、ズームボタン１０のワイド側操作ボタン及びテレ側操作ボタンはいずれもクリック可能に構成され、ダブルクリックすることで動作切替を制御回路に指示する。第１撮像光学系への動作切替はワイド側操作ボタンのダブルクリックに対応し、第２撮像光学系への動作切替はテレ側操作ボタンのダブルクリックに対応する。第１撮像光学系が動作中にユーザがズームボタン１０のテレ側操作ボタンをダブルクリックすると動作光学系が第１撮像光学系から第２撮像光学系に切り替わり、第２撮像光学系で得られた画像がＬＣＤに表示される。また、第２撮像光学系が動作中にユーザがズームボタン１０のワイド側操作ボタンをダブルクリックすると動作光学系が第２撮像光学系から第１撮像光学系に切り替わり、第１撮像光学系で得られた画像がＬＣＤに表示される。
【００２９】
移動モード切替スイッチ１２は、切替レバー３５２に連動し、切替レバー３５２をＡ位置、中立位置、及びＢ位置に切り替える。移動モード切替スイッチ１２は例えばスライドスイッチで構成され、図中矢印方向に摺動することでＡ位置、中立位置、及びＢ位置に設定する。
【００３０】
本実施形態では、上記のとおり第１撮像光学系と第２撮像光学系の切替とともに、移動方法の切替も可能である。そこで、現在の移動モードがいずれかをユーザに明示することが好ましい。図７に、切替レバー３５２がＢ位置に設定され、第１撮像光学系と第２撮像光学系がともに光軸に沿って同一方向に移動する場合の画面表示例を示す。表示１００Ａは第１撮像光学系のズーミングを示し、表示２００Ａは第２撮像光学系のズーミングを示す。下端がワイド端であり、上端がテレ端である。第１撮像光学系のズームレンズ群１０２の位置、及び第２撮像光学系のズームレンズ群２０２の位置が示され、かつ、動作状態にある光学系が太く示される。図では、第１撮像光学系及び第２撮像光学系はともにワイド端に位置し、かつ、第２撮像光学系が動作状態にあることを示している。また、図８に、切替レバー３５２がＡ位置に設定され第１撮像光学系と第２撮像光学系が光軸に沿って互いに逆方向に移動する場合の画面表示例を示す。第１撮像光学系はワイド端に位置するとともに第２撮像光学系はテレ端に位置し、かつ、第１撮像光学系が動作状態にあることを示す。このような表示とすることで、第１撮像光学系と第２撮像光学系のいずれが動作中であるか、及び第１撮像光学系と第２撮像光学系がいずれの移動モードにあるか、さらに第１撮像光学系と第２撮像光学系のズーム位置を容易に識別することができる。
【００３１】
図７及び図８において、第１撮像光学系と第２撮像光学系を選択的に動作させるのではなく、第１撮像光学系と第２撮像光学系をともに動作させる場合、ＬＣＤには第１撮像光学系で得られた画像と第２撮像光学系で得られた画像が重畳的に、あるいは並列的に表示されることになる。この場合、表示１００Ａ、２００Ａはともにズーム位置が太線表示となってともに動作中であることを表示する。
【００３２】
以上、本発明の実施形態について説明したが、本発明はこれに限定されるものではなく種々の変更が可能である。
【００３３】
例えば、本実施形態では、太陽ギアＧ１に送りねじ２２０が連結され、ギアＧ５に送りねじ１２０が連結されているが、太陽ギアＧ１に送りねじ１２０が連結されてズームレンズ群１０２を移動し、ギアＧ５に送りねじ２２０が連結されてズームレンズ群２０２を移動させてもよい。この場合、切替レバー３５２が中立位置に設定されると、ズームレンズ群２０２は現在の位置を維持する一方、ズームレンズ群１０２はズーミング用モータ３００で単独駆動されることになる。
【図面の簡単な説明】
【００３４】
【図１】実施形態におけるデジタルカメラの内部構成図である。
【図２】図１における切替機構説明図である。
【図３】実施形態におけるデジタルカメラの内部構成図である。
【図４】図３における切替機構の説明図である。
【図５】実施形態におけるデジタルカメラの内部構成図である。
【図６】図５における切替機構の説明図である。
【図７】デジタルカメラの表示説明図である。
【図８】デジタルカメラの表示説明図である。
【符号の説明】
【００３５】
１００  第１レンズ群（第１撮像光学系）、１０１  プリズム（第１撮像光学系）、１０２  ズームレンズ群（第１撮像光学系）、１０６  レンズ案内環、１０８  フォーカスレンズ群（第１撮像光学系）、１１０  第１撮像素子、２００  第１レンズ群（第２撮像光学系）、２０１  プリズム（第２撮像光学系）、２０２  ズームレンズ群（第２撮像光学系）、２０６  フォーカスレンズ群（第２撮像光学系）、２１０  第２撮像素子、３００  ズーミング用駆動モータ、３５０  切替機構、３５２  切替レバー、４００  フォーカシング用駆動モータ。
【図１】
2008032918.tif 000003
【図２】
2008032918.tif 000004
【図３】
2008032918.tif 000005
【図４】
2008032918.tif 000006
【図５】
2008032918.tif 000007
【図６】
2008032918.tif 000008
【図７】
2008032918.tif 000009
【図８】
2008032918.tif 000010